(57)【特許請求の範囲】
【請求項１】
対をなす左側ユニットおよび右側ユニットを含み、
左側ユニットおよび右側ユニットは、左右から互いに一部が重なるように嵌め合わされて構成される収納棚であり、
前記重なる領域を変化させることにより、幅を可変することのできる構成を有し、
前記左側ユニットおよび右側ユニットは、それぞれ、平面視Ｌ字状に組み合わされた２枚の支持板と、当該２枚の支持板に取り付けられた箱パーツとを備え、
左側ユニットと右側ユニットとは、正面視で左右および上下対称な形状に構成されていて、
前記左側ユニットおよび右側ユニットは、それぞれ、前記２枚の支持板のうちの一方支持板の取り付け位置を変えることにより、嵌め合わせ型の棚ユニットから独立型の収納棚に変身させることができる、収納棚。
【発明の詳細な説明】
【技術分野】
【０００１】
この発明は、収納棚に関し、特にシステムデスクに適用できる収納棚に関する。
【背景技術】
【０００２】
必要に応じてコンパクトに配置することのできるシステムデスクが、特許文献１に提案されている。
【先行技術文献】
【特許文献】
【０００３】
【特許文献１】特開２０１３−９４４５９号公報
【発明の概要】
【発明が解決しようとする課題】
【０００４】
従来提案されているシステムデスクでは、システムデスクに良好に組み込むことのできる収納棚は存在しないという課題がある。
この発明は、かかる背景のもとになされたものであり、使用目的やシステムデスクに組み込んで利用する際に、使い勝手の良い使用態様がとれる収納棚を提供することを主たる目的とする。
【課題を解決するための手段】
【０００５】
請求項１記載の発明は、対をなす左側ユニットおよび右側ユニットを含み、左側ユニットおよび右側ユニットは、左右から互いに一部が重なるように嵌め合わされて構成される収納棚であり、前記重なる領域を変化させることにより、幅を可変することのできる構成を有し、前記左側ユニットおよび右側ユニットは、それぞれ、平面視Ｌ字状に組み合わされた２枚の支持板と、当該２枚の支持板に取り付けられた箱パーツとを備え、左側ユニットと右側ユニットとは、正面視で左右および上下対称な形状に構成されていて、前記左側ユニットおよび右側ユニットは、それぞれ、前記２枚の支持板のうちの一方支持板の取り付け位置を変えることにより、嵌め合わせ型の棚ユニットから独立型の収納棚に変身させることができる、収納棚である。
【発明の効果】
【０００７】
この発明によれば、使用目的や使用態様に応じて、幅を変化させることができ、使い勝手が良く、しかもシステムデスクに組み込み易い収納棚を提供することができる。
【図面の簡単な説明】
【０００８】
【図１】図１は、システムデスクの全体構成例を示す正面図である。
【図２】図２は、机１０の正面図である。
【図３】図３は、机１０を右前方下方側から見た斜視図である。
【図４】図４は、天板１１と脚１７（１８）との取付構造を説明するための机１０の側面視縦断面図である。
【図５】図５は、システムデスクに含まれる収納棚５０の一方ユニット５０Ａの構成を説明するための平面図（Ａ）、正面図（Ｂ）、背面図（Ｃ）、左側面図（Ｄ）および右側面図（Ｅ）である。
【図６】図６は、システムデスクに含まれる収納棚５０の他方ユニット５０Ｂの構成を説明するための平面図（Ａ）、正面図（Ｂ）、背面図（Ｃ）、左側面図（Ｄ）および右側面図（Ｅ）である。
【図７】図７は、左側ユニット５０Ａおよび右側ユニット５０Ｂを構成する基本パーツを示す図である。
【図８】図８は、左側ユニット５０Ａおよび右側ユニット５０Ｂを嵌め合わせて構成した収納棚５０の３種類のバリエーションを示す正面図である。
【図９】図９は、収納棚５０を構成する左側ユニット５０Ａを、嵌め合わせ型の棚ユニットから独立型の収納棚に構成を変更する仕方を説明する図である。
【図１０】図１０は、収納棚５０を構成する右側ユニット５０Ｂを、嵌め合わせ型の棚ユニットから独立型の収納棚に構成を変更する仕方を説明する図である。
【図１１】図１１は、システムデスクに含まれるチェスト２０の構成を説明するための図解的な側面縦断面図である。
【図１２】図１２は、天板３０を取り外した状態の箱枠体２１を上から見た斜視図（Ａ）と、取り外した天板３０の裏面側を示す図（Ｂ）である。
【図１３】図１３は、箱枠体２１の上面板２６から天板３０を取り外し、それを箱枠体２１の背面２９に取り付けた状態を示す図である。
【図１４】図１４は、チェスト２０を、机１０の天板１１下方の空間に配置する仕方を説明する図である。
【図１５】図１５は、机天板１１の下面１１１に埋設配置されたねじ孔３３を示す図である。
【図１６】図１６は、システムデスクの最もコンパクトな使用態様を示す平面図（Ａ）および正面図（Ｂ）である。
【図１７】図１７は、システムデスクの最もコンパクトな使用態様の変形例を示す平面図（Ａ）および正面図（Ｂ）である。
【図１８】図１８は、机１０の左脚１７を天板１１の中央寄りに取り付け、天板１１の下方空間に収納棚５０を納め、チェスト２０を机１０の右側に並べて配置した使用態様を示す平面図（Ａ）および正面図（Ｂ）である。
【図１９】図１９は、ゆったりワイドにシステムデスクを使用する態様を示す平面図（Ａ）および正面図（Ｂ）である。
【図２０】図２０は、収納棚５０を、嵌め合わせ型から独立型に変更し、そのうち一方の収納棚５０Ａを机１０の下方空間に納め、もう一方の収納棚５０Ｂを机１０の左側に並べた使用態様を示す平面図（Ａ）および正面図（Ｂ）である。
【図２１】図２１は、図２０のものから、独立型の一方の収納棚５０ＢをいわゆるコーナーでＬ型に配置した使用態様を示す平面図（Ａ）および正面図（Ｂ）である。
【図２２】図２２は、収納棚５０を独立型にし、それを上下に積み上げて使用する使用態様を示す平面図（Ａ）および正面図（Ｂ）である。
【図２３】図２３は、収納棚５０を独立型にして、それを上下に積み上げて使用する使用態様を示す平面図（Ａ）および正面図（Ｂ）である。
【図２４】図２４は、机１０に適用する脚（左脚１７、右脚１８）の変形例を示す図である。
【図２５】図２５は、収納棚５０に適用可能な箱パーツ５２の代替パーツの一例を示す図である。
【発明を実施するための形態】
【０００９】
以下には、図面を参照して、この発明の実施形態として、システムデスクを例にとり、具体的に説明をする。
図１は、システムデスクの全体構成例を示す正面図である。このシステムデスクは、机１０と、チェスト２０と、収納棚５０とを含んでおり、それぞれが特有の構成を具備している。
＜机の説明＞
まず、システムデスクの１つの構成要素である机１０について、具体的に詳しく説明をする。
【００１０】
図２は、机１０の正面図であり、図３は、机１０を右前方下方側から見た斜視図である。
図２および図３を参照して、机１０は、長方形状の平板で構成された天板１１と、天板１１の奥側を支える背枠１２とを含む。背枠１２は、左奥脚板１３と、右奥脚板１４と、左奥脚板１３および右奥脚板１４の上端部間を連結する上枠板１５と、左奥脚板１３および右奥脚板１４間の下端寄りの間を連結する下枠板１６とを備えている。そして左奥脚板１３の上端面、右奥脚板１４の上端面および上枠板１５の上側面は、天板１１の奥縁（背面縁）の下面１１１に沿うように、天板１１の下面１１１と連結されている。
【００１１】
背枠１２の幅Ｗ１は、天板１１の幅Ｗ１と等しくされており、天板１１と背枠１２との連結体は、側面視で鉤形（Ｌ字形）の形状をしている。
机１０は、さらに、左脚１７および右脚１８という一対の脚を備える。左脚１７および右脚１８は、互いに等しい形状に構成され、縦長のロ字状の枠形状をしている。この実施形態では、左脚１７および左脚１８は、共に、前枠部１７１，１８１、後枠部１７２，１８２、上枠部１７３，１８３、下枠部１７４，１８４によって囲まれたロ字状枠体とされ、その枠内は、中央が膨らみ角部がやや狭まった曲線状のロ字状枠という意匠が施されている。
【００１２】
机１０の高さ（天板１１の上面までの高さ）はＨ１であり、天板１１の下面１１１までの高さはＨ２である。また、天板１１の厚みはＴ１である。
左脚１７および右脚１８の天板１１への取り付け構造は、次の通りである。
天板１１の下面１１１には脚を取り付けるための３つ１組のねじ孔４１が、４箇所４１ａ，４１ｂ，４１ｃ，４１ｄに埋設配置されている。３つ１組のねじ孔４１ａは、下面１１１の左辺沿いに、ねじ孔４１ｂは、左辺から一定寸法Ｗ２右寄りの位置に、ねじ孔４１ｃは右辺から一定寸法Ｗ２左寄りの位置に、ねじ孔４１ｄは、下面１１１の右辺沿いに、それぞれ、設けられている。この実施形態では、左脚１７は、天板１１の左辺から一定寸法Ｗ２右寄りのねじ孔４１ｂを用いて取り付けられ、右脚１８は、天板１１の下面１１１の右辺沿いのねじ孔４１ｄを用いて取り付けられている。
【００１３】
この実施形態は、取り付けに用いる３つ１組のねじ孔４１を変更することにより、天板１１に対する各脚１７，１８の取り付け位置を変更できる。また、３つ１組のねじ孔４１を追加することにより、脚１７，１８の取り付け位置の選択枝を増やすことができる。
左脚１７および右脚１８には、それぞれ、ねじ孔４１に対応するように３つの貫通孔４２が上枠１７３，１８３に穿設されている。そして上枠の下方からボルト４３が挿入され、ボルト４３の先端がねじ孔４１に螺合されることにより、左脚１７および右脚１８は、その上端部（上枠１７３，１８３）が天板１１の下面１１１に確実に固定される。
【００１４】
この実施形態の特徴は、左脚１７および右脚１８を、天板１１の下面１１１の予め定められた位置に設けられたねじ孔４１ａ〜４１ｄのいずれのねじ孔を用いて取り付けるかにより、天板１１に対する左脚１７および右脚１８の取り付け位置を変更できる構成である。
そして、これにより、天板１１の下方に形成される一対の脚１７，１８で挟まれた天板下方空間の幅を所望の幅に変更することができ、かつ、脚１７，１８から左右側方に延び出た天板１１の領域を変更できる。
【００１５】
図２および図３に示す実施形態のように、たとえば左脚１７を天板１１の左端ではなく、天板１１の左端から一定の寸法Ｗ２中央へ寄った位置に取り付けた場合、この机１０を使用するのが、たとえば小学校低学年の児童の場合、その母親等が子供の勉強に付き合ったりする場合など、机１０の左側に座り易く、机１０の左側に座った母親が子供の勉強を補助し易いといった利点がある。
【００１６】
すなわち、この机１０は、天板１１に対して左脚１７および右脚１８を任意の位置（天板１１の下面１１１に予め配置されたねじ孔４１ａ〜４１ｄのいずれを利用するかによって取り付け位置が決まる任意の位置）に取り付けることができる。そして、天板１１に対する左脚１７および右脚１８の取り付け位置を変更することにより、机１０を所望の用途や使い勝手のよい脚１７，１８間の広さを設定して、使用することができる。
【００１７】
図４は、天板１１と脚１７（１８）との取り付け構造を説明するための机１０の側面視縦断面図である。
図４を参照して、左脚１７および右脚１８は、天板１１の下面１１１に、ボルトを用いて取り付けられる。また、天板１１に対する取り付けをより強固かつぐらつきのないようにするために、脚１７，１８は、背枠１２にも連結されるように構成されている。
【００１８】
すなわち、背枠１２の左奥脚板１３、右奥脚板、上枠板１５および下枠板１６には、それぞれ、天板１１下面１１１に設けられたねじ孔４１ａ〜４１ｄに対応する位置に、上方に２つの貫通孔４４（４４ａ〜４４ｄ）および下方に１つの貫通孔４５（４５ａ〜４５ｄ）が形成されている。
一方、左脚１７および右脚１８には、それぞれ、後枠１７２，１８２の背面側に、ねじ孔４６，４７が埋設されている。ねじ孔４６，４７は、貫通孔４４，４５と対応する位置に設けられている。よって、背面側から貫通孔４４，４５にボルトを通し、そのボルトの先端をねじ孔４６，４７に螺合することにより、左脚１７、右脚１８の後枠１７２，１８２が背枠１２にも連結され、左脚１７、右脚１８の天板１１への取り付け構造が補強される。
【００１９】
この実施形態に係る机１０では、脚（左脚１７、右脚１８）は、縦長のロ字状で、中央が膨らみ角部がやや狭まった内側が曲線状のロ字状枠として説明した。
しかし、脚１７，１８の形状は、上述の実施例に限られるものではなく、形状の異なる脚であっても適用することができる。たとえば、図２４の（Ａ）に示す角ばったＤ字形状をした枠脚１７０や、図２４の（Ｂ）に示す門状の脚１８０としてもよい。
＜収納棚の説明＞
図５は、システムデスクに含まれる収納棚５０の一方ユニット５０Ａの構成を説明するための平面図（Ａ）、正面図（Ｂ）、背面図（Ｃ）、左側面図（Ｄ）および右側面図（Ｅ）である。同様に、図６は、システムデスクに含まれる収納棚５０の他方ユニット５０Ｂの構成を説明するための平面図（Ａ）、正面図（Ｂ）、背面図（Ｃ）、左側面図（Ｄ）および右側面図（Ｅ）である。
【００２０】
収納棚５０は、図５に示す一方ユニット（左側ユニット）５０Ａおよび図６に示す他方ユニット（右側ユニット）５０Ｂという一対のユニット５０Ａ，５０Ｂが嵌合されることにより構成される。
図７は、左側ユニット５０Ａおよび右側ユニット５０Ｂを構成する基本パーツを示す図である。
【００２１】
左側ユニット５０Ａは、図７（Ａ）に示す支持板パーツ５１が２枚と、図７（Ｂ）に示す箱パーツ５２が１つと、図７（Ｃ）に示す板パーツ５３が１枚とによって構成される。
また、右側ユニット５０Ｂは、図７（Ａ）に示す支持板パーツ５１が２枚と、図７（Ｂ）に示す箱パーツ５２が１つ用いられて構成される。
なお、箱パーツ５２は、背板５２１を有するものとしているが、背板５２１を省略した箱パーツとしてもよい。
【００２２】
この実施形態では、支持板パーツ５１は、その幅がＬ１、その高さがＬ２、その厚みがＬ３をした縦長長方形状の正面視外観を有する「日」形状の枠体によって実現されている。しかし、「日」形状の枠体とせず、単なる長方形状の板体としてもよい。また、枠体とする場合、外観が長方形状でありさえすればよく、枠内は別の形状であってもよい。この支持板パーツ５１は、左側ユニット５０Ａおよび右側ユニット５０Ｂにおいて、それぞれ２枚が用いられ、平面視Ｌ字状に組み合わされて、左側ユニット５０Ａの左側面および背面の半分を支持する部材として用いられ、また、右側ユニット５０Ｂの右側面および背面の半分を支持する部材として用いられる。
【００２３】
なお、支持板パーツ５１の高さＬ２は、前述した机１０の天板１１の下面１１１までの高さＨ２と等しくされているのが好ましい。
箱パーツ５２は、その幅がＬ４（Ｌ４＝２×Ｌ１）、その高さがＬ５（Ｌ５＝Ｌ２／２）、その奥行がＬ６（Ｌ６＝Ｌ１）をしており、コ字状に連結された３枚の枠板と背面を構成する１枚の背板とにより構成された直方体状の外観をしており、その正面および一方側面は開放された形状である。
【００２４】
板パーツ５３は、その長さが２×Ｌ１、その幅がＬ１、その厚みがＬ３をした平面視長方形状の板材である。
図５に示すように、収納棚５０の左側ユニット５０Ａは、２枚の支持板パーツ５１が平面視Ｌ字状に組み合わされ、その下端に板パーツ５３が取り付けられ、その上端に沿って箱パーツ５２が取り付けられた構成をしている。
【００２５】
また、図６に示すように、収納棚５０の右側ユニット５０Ｂは、２枚の支持板パーツ５１が平面視Ｌ字状に組み合わされ、当該組み合わされた支持板パーツ５０の下端寄りに、板パーツ５３の厚みＬ３だけ浮かせた状態で箱パーツ５２が取り付けられた構成をしている。
この実施形態に係る収納棚５０は、上述した左側ユニット５０Ａと右側ユニット５０Ｂとが左右から嵌め合わされることにより構成されるもので、その嵌め合わせの態様により、所望の幅の収納棚５０となる。
【００２６】
図８は、左側ユニット５０Ａおよび右側ユニット５０Ｂを嵌め合わせて構成した収納棚５０の３種類のバリエーションを示す正面図である。図８（Ａ）は、収納棚５０の幅が最も広い態様（ＷＩＤＥ）、図８（Ｂ）は、収納棚５０の幅が最も狭い態様（ＮＡＲＲＯＷ）、図８（Ｃ）は、収納棚５０の幅が最大幅と最小幅との間の中間的な幅になるように嵌め合わした態様（ＭＩＤＤＬＥ）の正面図を示している。
【００２７】
収納棚５０は、左側ユニット５０Ａおよび右側ユニット５０Ｂがそれぞれ左右から嵌め合わすことにより、左側ユニット５０Ａの右側面の支持強度は嵌め合わされる右側ユニット５０Ｂにより補完され、同様に、右側ユニット５０Ｂの左側面の支持強度は嵌め合わされる左側ユニット５０Ａにより補完される。よって、収納棚５０は、嵌め合わされた態様がいずれの態様であっても、左右両側面が強固に支持された丈夫な収納棚となる。
【００２８】
そして、その嵌め合わせ態様により、収納棚５０はその幅を変更できるので、収納棚を納めるべき場所（たとえば机の下の空間）等に、必要な幅の収納棚５０としてきっちりと組み合わせることができる。
この実施形態に係る収納棚５０では、基本パーツの１つとして、箱パーツ５２を取り挙げた。しかし、箱パーツに代えて、たとえば図２５（Ａ）に示す本立パーツ５６や図２５（Ｂ）に示す棚パーツ５７を使用することもできる。本立パーツ５６や棚パーツ５７は、具体的には、左側ユニット５０Ａの箱パーツ５２の代替パーツとして利用するのが好ましい。
【００２９】
図９は、収納棚５０を構成する左側ユニット５０Ａを、嵌め合わせ型の棚ユニットから独立型の収納棚に構成を変更する場合の仕方を説明する図であり、（Ａ）は正面図、（Ｂ）は平面図である。
図９に示すように、左側ユニット５０Ａを構成する１枚の支持板パーツ５１、すなわち背面左側を支持する支持板パーツ５１を、左側ユニット５０Ａの右側面を支持するように付け替える（支持板パーツ５１の配置位置を変更する）ことができる。このように変更すると、左側ユニット５０Ａは、その両側側面が支持板パーツ５１で支持された構成となり、自立可能な独立型の収納棚に変身する。
【００３０】
図１０は、収納棚５０を構成する右側ユニット５０Ｂを、嵌め合わせ型の棚ユニットから独立型の収納棚に構成を変更する仕方を説明する図であり、（Ａ）は正面図、（Ｂ）は平面図である。また、（Ｃ）は上面板を追加した状態の正面図である。
図１０に示すように、収納棚５０を構成する右側ユニット５０Ｂも、左側ユニット５０Ａと同様に、嵌め合わせ型のユニットから独立型の収納棚に構成を変更可能である。
【００３１】
構成変更する場合は、右側ユニット５０Ｂの背面右側を支持する支持板パーツ５１を、右側ユニット５０Ｂの左側面を支持するように付け替える。これにより、右側ユニット５０Ｂは、その左右両側面が支持板パーツ５１で支持された状態となり、独立型の収納棚として利用することができる。
また、独立型の収納棚とした場合において、天板（上面板５４）がある方が使い易い場合、上面板５４を追加することができる。上面板５４は、それが用いられない場合は、たとえば机１０の背枠１２に、背枠１２と面一になるように保持しておくことが可能である。
【００３２】
また、上面板５４は、左側ユニット５０Ａに使用している板パーツ５３と同じものを用いることも可能である。
＜チェストの説明＞
図１１は、システムデスクに含まれるチェスト２０の構成を説明するための図解的な側面縦断面図である。
【００３３】
チェスト２０は、縦長直方体状の箱枠体２１と、箱枠体２１の正面側に引き出し可能に設けられ、縦方向に配列されたたとえば４つの引き出し２２，２３，２４，２５を有する。さらに、箱枠体２１の上面板２６上には天板３０が取り付けられている。
天板３０を含むチェスト２０の高さはＨ１で、天板３０を除いた箱枠体２１の高さはＨ２である。天板３０の厚みはＴ１である。
【００３４】
ここで、図２を参照して説明した机１０と、その高さを対比すると、机１０は、その高さ（天板１１を含む高さ）が、Ｈ１であり、天板１１の厚みはＴ１で、床面から天板１１下面１１１までの高さはＨ２であるから、チェスト２０は、天板３０を含む高さＨ１が机１０の高さＨ１と等しく、天板３０を外したときの箱枠体２１の高さＨ２は、机１０の天板１１下の空間内にちょうど納まる高さとなっている。
【００３５】
なお、図１１において、引き出し２５の前方下方に設けられたキャスタ３５は、引き出し２５が容積の大きな引き出しであるため、それを引き出す際の動きをスムーズにするために設けられたものである。（チェスト２０全体を移動させるためのキャスタではない。）
図１２は、天板３０を取り外した状態の箱枠体２１を上から見た斜視図（Ａ）と、取り外した天板３０の裏面側を示す図（Ｂ）である。
【００３６】
図１１および図１２を参照して、箱枠体２１の上面板２６にはたとえば４つの貫通孔２７が開けられており、天板３０の下面には、貫通孔２０に対応する位置に、４つのねじ孔２８が埋設配置されている。
箱枠体２１の上面板２６上への天板３０の固定は、図１１に示すように、上面板２６の下方から貫通孔２７にボルトを通し、ボルト先端を天板３０下面のねじ孔２８に螺合することにより行われている。
【００３７】
上面板２６下面からのボルトの操作は、たとえば引き出し２２および必要があれば引き出し２３を完全に引き外し、上面板２６下面へのアクセスがし易い状態にして行うことができる。
チェスト２０は、天板３０を取り付けた状態では、その高さＨ１が机１０の高さＨ１と等しくなり、机１０の側方にチェスト２０を沿わせて配置することにより、机１０の天板１１とチェスト２０の天板３０の上面同士がほぼ面一となり、使い易い。
【００３８】
一方、箱枠体２１の上面板２６から天板３０を取り外した場合、取り外した天板３０は、図１３に示すように、箱枠体２１の背面２９に取り付けることができる。箱枠体２１の背面２９には、取り外した天板３０を重ねた際に、天板３０の下面に配設されたねじ孔２８に対応する位置に、４つの貫通孔３１が形成されている。よって、箱枠体２１の内側から、背面２９の貫通孔３１にボルトを通し、ボルト先端を天板３０のねじ孔２８に螺合させれば、天板３０を箱枠体２１の背面２９に確実にかつしっかりと固定できる。
【００３９】
図１４は、図１３に示すように天板３０を箱枠体２１の背面２９に取り付けたチェスト２０を、机１０の天板１１下方の空間に配置する仕方を説明する図である。天板３０を取り外したチェスト２０の高さＨ２は、上述したように、机１０の天板１１下方の高さＨ２と等しくされている。
そこで、天板３０を取り外したチェスト２０を机１０の天板１１下の空間へ挿入し、チェスト２０の右側面がたとえば右脚１８に沿う位置に配置する。そして、この状態で、引き出し２２等を引き外し、箱枠体２１の上面板２６の下方から貫通孔２７にボルトを挿通する。
【００４０】
図１５に示すように、貫通孔２７に対応する机天板１１下面１１１には、予めねじ孔３３が埋設配置されている。よって、このねじ孔３３にボルト先端を螺合させることにより、天板１１に対してチェスト２０の上面板２６を確実に固定することができる。
机１０の天板１１下面１１１には、その左側にもねじ孔３３が埋設配置されている。このため、チェスト２０を、机１０の左脚１７沿いに取り付けることもできる。
【００４１】
なお実際には、天板１１の下面には、左脚１７および右脚１８を固定するためのねじ孔４１ａ〜４１ｄ（図３の説明を参照）も埋設配置されているが、ここでは直接関係がないので、その図示については省略した。
＜種々の配置バリエーション＞
この実施形態に係るシステムデスクは、机１０、チェスト２０および収納棚５０が、それぞれ、上述のように構成されているので、机１０、チェスト２０および収納棚５０を様々な形で組み合わせて使い勝手の良いシステムデスクとして活用することができる。
【００４２】
参考として、いくつかの組み合わせ例を紹介する。
図１６は、システムデスクを最もコンパクトな状態に組み合わせた使用例を示す。この使用例では、机１０の下方内部空間にチェスト２０および収納棚５０が全て納められた状態となっている。
なお、図１６の組み合わせにおいて、図１７に示すように、右脚１８を天板１１の中央側へ移動させ、天板１１の右側はチェスト２０で支持する態様で使用することもできる。
【００４３】
図１８は、机１０の左脚１７を天板１１の中央寄りに取り付け、天板１１の下方空間に収納棚５０を納めるとともに、チェスト２０を机１０の右側に並べて配置した使用状態である。この使用状態の場合、左側から児童の親等が天板１１上の作業に参加し易くなる。
図１９は、ゆったりワイドにシステムデスクを使用する態様を示す図である。
図２０は、収納棚５０を、嵌め合わせ型から独立型に変更し、そのうち一方の収納棚５０Ａを机１０の下方空間に納め、もう一方の収納棚５０Ｂを机１０の左側に並べた状態の使用例である。
【００４４】
図２１は、図２０のものから、独立型の一方の収納棚５０ＢをいわゆるコーナーでＬ型に配置して使用する場合の使用例である。
図２２は、収納棚５０を独立型にし、それを上下に積み上げて使用する使用例である。
図２３も収納棚５０を独立型にして、それを積み上げて使用する使用例である。
この発明は、以上説明した種々の実施形態に限定されるものではなく、請求項記載の範囲内において種々の変更が可能である。
【符号の説明】
【００４５】
１０    机
２０    チェスト
１１    天板
１２    背枠
１３    左奥脚板
１４    右奥脚板
１５    上枠板
１６    下枠板
１７    左脚
１８    右脚
２０    チェスト
２１    箱枠体
２２，２３，２４，２５    引き出し
２６    上面板
２７，３１，４２    貫通孔
２８，３３，４１，４４，４５    ねじ孔
３０    天板
５０    収納棚
５０Ａ    左側ユニット
５０Ｂ    右側ユニット
５１    支持板パーツ
５２    箱パーツ
５３    板パーツ
５４    上面板 
【図１】
0006597998.tif 000002
【図２】
0006597998.tif 000003
【図３】
0006597998.tif 000004
【図４】
0006597998.tif 000005
【図５】
0006597998.tif 000006
【図６】
0006597998.tif 000007
【図７】
0006597998.tif 000008
【図８】
0006597998.tif 000009
【図９】
0006597998.tif 000010
【図１０】
0006597998.tif 000011
【図１１】
0006597998.tif 000012
【図１２】
0006597998.tif 000013
【図１３】
0006597998.tif 000014
【図１４】
0006597998.tif 000015
【図１５】
0006597998.tif 000016
【図１６】
0006597998.tif 000017
【図１７】
0006597998.tif 000018
【図１８】
0006597998.tif 000019
【図１９】
0006597998.tif 000020
【図２０】
0006597998.tif 000021
【図２１】
0006597998.tif 000022
【図２２】
0006597998.tif 000023
【図２３】
0006597998.tif 000024
【図２４】
0006597998.tif 000025
【図２５】
0006597998.tif 000026